(57)【要約】      （修正有）【課題】トレイを画像形成装置に装着する作業を困難にすることなく、トレイを画像形成装置に固定する。【解決手段】被記録材を積載するトレイが着脱可能な画像形成装置や被記録材を積載するトレイが着脱可能な画像読み取り装置において、トレイの嵌合部を少なくとも一箇所設け、画像形成装置とトレイとの当接部を通紙方向に対して異なる位置に少なくとも２箇所設ける。【選択図】  図２
2008030866.tif 000002
【特許請求の範囲】
【請求項１】
被記録材を積載するトレイが着脱可能な画像形成装置において、前記画像形成装置と前記トレイの嵌合部を少なくとも一箇所設け、前記画像形成装置と前記トレイとの当接部を通紙方向に対して異なる位置に少なくとも２箇所設けることを特徴とする画像形成装置。
【請求項２】
被記録材を積載するトレイが着脱可能な画像読み取り装置において、前記画像読み取り装置と前記トレイの嵌合部を少なくとも一箇所設け、前記画像読み取り装置と前記トレイとの当接部を通紙方向に対して異なる位置に少なくとも２箇所設けることを特徴とする画像読み取り装置。
【請求項３】
被記録材を積載するトレイが着脱可能な画像形成装置において、前記画像形成装置と前記トレイの嵌合部を通紙方向に対して左右略対称になる位置に１箇所ずつ設け、前記画像形成装置と前記トレイとに第一の当接部、及び、第二の当接部を設け、前記第一の当接部、前記嵌合部、前記第二の当接部を通紙方向に対して順に配置することを特徴とする画像形成装置。
【請求項４】
被記録材を積載するトレイが着脱可能な画像読み取り装置において、前記画像読み取り装置と前記トレイの嵌合部を通紙方向に対して左右略対称になる位置に１箇所ずつ設け、前記画像読み取り装置と前記トレイとに第一の当接部、及び、第二の当接部を設け、前記第一の当接部、前記嵌合部、前記第二の当接部を通紙方向に対して順に配置することを特徴とする画像読み取り成装置。
【請求項５】
画像形成装置に着脱可能な被記録材を積載するトレイにおいて、前記画像形成装置と前記トレイの嵌合部を少なくとも一箇所設け、前記画像形成装置と前記トレイとの当接部を通紙方向に対して異なる位置に少なくとも２箇所設けることを特徴とするトレイ。
【請求項６】
画像読み取り装置に着脱可能な被記録材を積載するトレイにおいて、前記画像読み取り装置と前記トレイの嵌合部を少なくとも一箇所設け、前記画像読み取り装置と前記トレイとの当接部を通紙方向に対して異なる位置に少なくとも２箇所設けることを特徴とするトレイ。
【請求項７】
画像形成装置に着脱可能な被記録材を積載するトレイにおいて、前記画像形成装置と前記トレイの嵌合部を通紙方向に対して左右略対称になる位置に１箇所ずつ設け、前記画像形成装置と前記トレイとに第一の当接部、及び、第二の当接部を設け、前記第一の当接部、前記嵌合部、前記第二の当接部を通紙方向に対して順に配置することを特徴とするトレイ。
【請求項８】
画像読み取り装置に着脱可能な被記録材を積載するトレイにおいて、前記画像読み取り装置と前記トレイの嵌合部を通紙方向に対して左右略対称になる位置に１箇所ずつ設け、前記画像読み取り装置と前記トレイとに第一の当接部、及び、第二の当接部を設け、前記第一の当接部、前記嵌合部、前記第二の当接部を通紙方向に対して順に配置することを特徴とするトレイ。
【発明の詳細な説明】
【技術分野】
【０００１】
本発明は、複写機、レーザービームプリンタ等の画像形成装置に関するものである。
【背景技術】
【０００２】
図５は、従来の画像形成装置の斜視図である。給紙トレイ１は、前カバー２に対して開閉可能に設けられている。印刷する場合には、図５の状態から給紙トレイ１を開き、シートを積載するトレイとして使用し、印刷しない場合には、給紙トレイ１を図５の状態のように収納することで、フットプリントを小さくすることが可能となっている。
【０００３】
排紙トレイ３は前カバー２に対して着脱可能になっており、図６に示すように、排紙トレイ３のボス８、９をそれぞれ、前カバーの丸孔１０、１１に嵌合させることで、前カバー２に装着する構成となっている。
【０００４】
図７は、排紙トレイ３を前カバー２に装着した状態の横断面図である。排紙トレイ３は、ボス９を支点として回動可能であり、自重により、突き当て１３が前カバー２の突き当て１５に当接した状態で保持される。
【０００５】
図８は従来の画像形成装置全体の横断面図である。図８を用いて、印刷の過程を説明する。
【０００６】
シートPはシート積載台１６の上に積載されており、シート積載台１６の下方に設けられた不図示のシート積載台バネにより、給紙ローラ１７に圧接されている。給紙ローラ１７が不図示の駆動ユニットから駆動を伝達され回動すると、最上層のシートPが給紙される。給紙ローラ１７によりシートPが複数枚給紙されても、給紙ローラ１７の下流側に設けられた分離パッド１８によりシートPは捌かれ、確実にシートPの最上層１枚が搬送ローラ１９対に搬送される。その後、シートPはプロセスユニット２０に搬送される。
【０００７】
プロセスユニット２０では、静電潜像形成、現像、転写が行われる。スキャナユニット２１から照射されたレーザー光Zによって、感光ドラム２２に静電潜像が形成される。その静電潜像を現像することでトナー像が形成される。形成されたトナー像は転写ローラ２３によりシートＰに転写される。
【０００８】
トナー像が転写されたシートＰは、定着ローラ対２５により熱、圧力が加えられ、それによりトナー像がシートＰに定着する。その後、シートＰは排紙ローラ対２６を経て、排紙トレイ３に排出され、印刷が完成する。
【０００９】
従来例としては、例えば特許文献１と特許文献２をあげることが出来る。
【特許文献１】特開平11-106060号公報
【特許文献２】特開2005-280994号公報
【発明の開示】
【発明が解決しようとする課題】
【００１０】
図７において、排紙トレイ３はボス９を回転中心として時計回りには、突き当て１３が前カバー２の突き当て１５に当接した状態で固定される。しかし、反時計回りには、固定されずに自由に動いてしまう。そのため、印刷済みのシートＰが排紙トレイ３上に積載された状態で、ユーザーが排紙トレイ３に不意に接触してしまった場合、積載されたシートＰが、排紙トレイ３上から落下する可能性がある。
【００１１】
そこで、図９、図１０に示すように排紙トレイ３のボス２７、２８をそれぞれ、前カバーの丸孔２９、３０に嵌合させ、さらに、排紙トレイのボス３１、３２をそれぞれ、前カバー２の長丸孔３３、３４に嵌合させる構成が提案されている。そうすることで、ユーザーが排紙トレイ３に不意に接触してしまった場合でも、排紙トレイ３はボス２８を回転中心として時計回りにも、反時計回りにも固定されているため、シートＰが排紙トレイ３上から落下することを防止できる。
【００１２】
しかしながら、図９、図１０に示す構成においては、ユーザーが排紙トレイ３を前カバー２に装着する際に、左右それぞれ２つのボスを嵌合させる必要があり、図６、図７に示す構成と比較し、装着作業が困難になる。
【００１３】
そこで、排紙トレイを前カバーに装着する作業を困難にすることなく、排紙トレイを前カバーに固定することが課題となる。
【課題を解決するための手段】
【００１４】
上記課題を解決するために、本発明の請求項１に係るものは、被記録材を積載するトレイ、及び、前記トレイが着脱可能な画像形成装置において、前記画像形成装置と前記トレイの嵌合部を少なくとも一箇所設け、前記画像形成装置と前記トレイとの当接部を通紙方向に対して異なる位置に少なくとも２箇所設けることを特徴とする。
【００１５】
本発明の請求項２に係るものは、被記録材を積載するトレイ、及び、前記トレイが着脱可能な画像読み取り装置において、前記画像読み取り装置と前記トレイの嵌合部を少なくとも一箇所設け、前記画像読み取り装置と前記トレイとの当接部を通紙方向に対して異なる位置に少なくとも２箇所設けることを特徴とする。
【００１６】
本発明の請求項３に係るものは、被記録材を積載するトレイ、及び、前記トレイが着脱可能な画像形成装置において、前記画像形成装置と前記トレイの嵌合部を通紙方向に対して左右略対称になる位置に１箇所ずつ設け、前記画像形成装置と前記トレイとに第一の当接部、及び、第二の当接部を設け、前記第一の当接部、前記嵌合部、前記第二の当接部を通紙方向に対して順に配置することを特徴とする。
【００１７】
本発明の請求項４に係るものは、被記録材を積載するトレイ、及び、前記トレイが着脱可能な画像読み取り装置において、前記画像読み取り装置と前記トレイの嵌合部を通紙方向に対して左右略対称になる位置に１箇所ずつ設け、前記画像読み取り装置と前記トレイとに第一の当接部、及び、第二の当接部を設け、前記第一の当接部、前記嵌合部、前記第二の当接部を通紙方向に対して順に配置することを特徴とする。
【発明の効果】
【００１８】
本発明によれば、排紙トレイを画像形成装置に装着する作業を困難にすることなく、排紙トレイを画像形成装置に固定することが可能となる。
【発明を実施するための最良の形態】
【００１９】
（実施例１）
図１、図２は、本実施例における排紙トレイと前カバーの構成を示した図である。
【００２０】
図１に示すように、排紙トレイ３のボス３５、３６をそれぞれ、前カバー２の丸孔３７、３８に嵌合させることで、排紙トレイ３を前カバー２に装着する構成となっている。
【００２１】
図２は排紙トレイ３を前カバー２に装着した状態の横断面図である。排紙トレイ３はボス３６を回転中心として時計回り方向には、突き当て４０が前カバー２の突き当て４２に当接した状態で固定される。また、反時計回り方向には、突き当て４４が前カバー２の突き当て４６に当接した状態で固定される。
【００２２】
このような構成にすることで、ユーザーが排紙トレイ３に不意に接触してしまった場合でも、排紙トレイ３上に積載されたシートＰの落下を防止することができる。また、排紙トレイ３を前カバー２に装着する際には、排紙トレイ３の左右一組のボスを前カバーに嵌合させるだけなので、装着作業を困難にすることがない。
【００２３】
ところで、本実施例においては、画像形成装置の排紙トレイに関して説明したが、画像形成装置の給紙トレイ、画像読取装置の排紙トレイ、及び、画像読み取り装置の排紙トレイ等に関しても同様な構成が可能である。
【００２４】
（実施例２）
図３、図４は、本実施例における排紙トレイと前カバーの構成を示した図である。
【００２５】
図３に示すように、排紙トレイ３のボス４７、４８をそれぞれ、前カバー２のスナップフィット５１及び逆Ｌ字形状４９で形成されるコの字部、スナップフィット５２及び逆Ｌ字形状５０で形成されるコの字部に嵌合させることで、排紙トレイ３を前カバー２に装着する構成となっている。
【００２６】
図３は排紙トレイ３を前カバー２に装着した状態の横断面図である。排紙トレイ３はボス４９を回転中心として時計回り方向には、突き当て５８が前カバー２の突き当て６０に当接した状態で固定される。また、反時計回り方向には、突き当て５４が前カバー２の突き当て５６に当接した状態で固定される。
【００２７】
このような構成にすることで、ユーザーが排紙トレイ３に不意に接触してしまった場合でも、排紙トレイ３上に積載されたシートＰの落下を防止することができる。
【００２８】
ところで、実施例１において、排紙トレイ３を前カバー２に装着する場合には、排紙トレイの２つのボスのうち一方を前カバーの一方の孔に嵌合させた後、もう一方のボスを前カバーのもう一方の孔に嵌合させるという作業が必要であった。しかしながら、本実施例において、排紙トレイ３を前カバー２に装着する場合には、図３に示すように排紙トレイ３を矢印Ａ方向に移動させるのみで、スナップフィット５１、５２を撓ませ、ボス４７、４８をそれぞれ、前カバー２のスナップフィット５１及び逆Ｌ字形状４９で形成されるコの字部、スナップフィット５２及び逆Ｌ字形状５０で形成されるコの字部に同時に嵌合させることが可能となる。したがって、排紙トレイを前カバーに装着する作業は、実施例１と比較し、本実施例の方が容易になる。
【図面の簡単な説明】
【００２９】
【図１】本発明の実施例１における、排紙トレイ装着の構成を示す斜視図である。
【図２】本発明の実施例１における、排紙トレイ装着時の横断面図である。
【図３】本発明の実施例２における、排紙トレイ装着の構成を示す斜視図である。
【図４】本発明の実施例２における、排紙トレイ装着時の横断面図である。
【図５】従来の画像形成装置の斜視図である。
【図６】従来の画像形成装置における、排紙トレイ装着の構成を示す斜視図である。
【図７】従来の画像形成装置における、排紙トレイ装着時の横断面図である。
【図８】従来の画像形成装置全体の横断面図である。
【図９】従来の画像形成装置における、排紙トレイ装着の構成を示す斜視図である。
【図１０】従来の画像形成装置における、排紙トレイ装着時の横断面図である。
【符号の説明】
【００３０】
１  給紙トレイ
２  前カバー
３  排紙トレイ
３５  排紙トレイのボス
３６  排紙トレイのボス
３７  前カバーの丸孔
３８  前カバーの丸孔
３９  排紙トレイの突き当て
４０  排紙トレイの突き当て
４１  前カバーの突き当て
４２  前カバーの突き当て
４３  排紙トレイの突き当て
４４  排紙トレイの突き当て
４５  前カバーの突き当て
４６  前カバーの突き当て
４７  排紙トレイのボス
４８  排紙トレイのボス
４９  前カバーの逆Ｌ字形状
５０  前カバーの逆Ｌ字形状
５１  前カバーのスナップフィット
５２  前カバーのスナップフィット
【図１】
2008030866.tif 000003
【図２】
2008030866.tif 000004
【図３】
2008030866.tif 000005
【図４】
2008030866.tif 000006
【図５】
2008030866.tif 000007
【図６】
2008030866.tif 000008
【図７】
2008030866.tif 000009
【図８】
2008030866.tif 000010
【図９】
2008030866.tif 000011
【図１０】
2008030866.tif 000012